(57)【要約】【課題】簡単な操作で、スポーツの緊迫感を楽しめる電子時計を提供すること。【解決手段】電子時計１は、操作を受け付ける操作部と、操作部が前記操作を受け付けた時刻からの経過時間を計時する計時部と、前記経過時間を表示する表示部４と、を備え、前記表示部は、前記操作部が前記操作を受け付けた時刻から第１所定時間が経過するまでの前記経過時間である第１時間を分単位で表示し、前記操作部が前記操作を受け付けた時刻から前記第１所定時間が経過した後の前記経過時間である第２時間を秒単位で表示する。【選択図】図１
2015137957.tif 000002
【特許請求の範囲】
【請求項１】
操作を受け付ける操作部と、
前記操作部が前記操作を受け付けた時刻からの経過時間を計時する計時部と、
前記経過時間を表示する表示部と、
を備え、
前記表示部は、
前記操作部が前記操作を受け付けた時刻から第１所定時間が経過するまでの前記経過時間を分単位で表示し、
前記第１所定時間が経過した後の前記経過時間を秒単位で表示する、電子時計。
【請求項２】
請求項１に記載の電子時計において、
前記表示部は、電気泳動素子を含む、電子時計。
【請求項３】
請求項１又は２に記載の電子時計において、
前記第１所定時間が経過するまでの前記経過時間を表示する場合の背景画像と、前記第１所定時間が経過した後の前記経過時間を表示する場合の背景画像とが異なる、電子時計。
【請求項４】
請求項１ないし３のいずれか１項に記載の電子時計において、
前記表示部は、
前記第１所定時間が経過するまでの前記経過時間をカウントアップで更新して表示する、電子時計。
【請求項５】
請求項１ないし４のいずれか１項に記載の電子時計において、
前記表示部は、
前記第１所定時間が経過した後の前記経過時間をカウントアップで更新して表示する、電子時計。
【請求項６】
請求項１ないし５のいずれか１項に記載の電子時計において、
前記計時部は、
前記第１所定時間が経過した時刻から第２所定時間が経過した場合に、計時を終了する、電子時計。
【請求項７】
請求項１ないし６のいずれか１項に記載の電子時計において、
前記計時部は、
前記第１所定時間が互いに異なる第１モード及び第２モードを有する、電子時計。
【請求項８】
請求項６に従属する請求項７に記載の電子時計において、
前記第１モードにおける前記第２所定時間と、前記第２モードにおける前記第２所定時間とが異なる、電子時計。
【発明の詳細な説明】
【技術分野】
【０００１】
本発明は、電子時計に関する。
【背景技術】
【０００２】
スポーツの審判員や観客が、経過時間や残り時間を知るために、そのスポーツ用のタイマーを使用することがある。
【０００３】
特許文献１には、第一タイマで試合の経過時間を計時し、第二タイマでロスタイムを計時し、異なるアラームで告知するタイマ装置が開示されている。
【先行技術文献】
【特許文献】
【０００４】
【特許文献１】特開２００７−２０６０１１号公報
【発明の概要】
【発明が解決しようとする課題】
【０００５】
特許文献１に開示されているタイマ装置では、試合の経過時間とロスタイム（アディショナルタイム）とを別々に計時するために、ユーザーによる複数回の操作が要求される。このため、一般の観客にとっては操作が煩雑で扱いにくかった。
【０００６】
また、一般の観客にとっては、通常の試合時間とロスタイム（アディショナルタイム）とでは、経過時間に対する関心度合いが異なると考えられる。
【０００７】
本発明は、以上のような問題点に鑑みてなされたものであり、本発明のいくつかの態様によれば、簡単な操作で、スポーツの緊迫感を楽しめる電子時計を提供することができる。
【課題を解決するための手段】
【０００８】
本発明は前述の課題の少なくとも一部を解決するためになされたものであり、以下の態様又は適用例として実現することが可能である。
【０００９】
［適用例１］
本適用例に係る電子時計は、操作を受け付ける操作部と、前記操作部が前記操作を受け付けた時刻からの経過時間を計時する計時部と、前記経過時間を表示する表示部と、を備え、前記表示部は、前記操作部が前記操作を受け付けた時刻から第１所定時間が経過するまでの前記経過時間を分単位で表示し、前記第１所定時間が経過した後の前記経過時間を秒単位で表示する、電子時計である。
【００１０】
本適用例によれば、１回の操作で操作部が操作を受け付けた時刻から第１所定時間が経過するまでの経過時間（例えば、日本のプロサッカーリーグの場合、前半又は後半の４５分間）と、第１所定時間が経過した後の経過時間（例えば、日本のプロサッカーリーグの場合、アディショナルタイム）とを計時することができる。また、第１所定時間が経過した後の経過時間を秒単位で表示することによって、終了間際の緊迫感を演出できる。したがって、簡単な操作で、スポーツの緊迫感を楽しめる電子時計を実現できる。
【００１１】
［適用例２］
上述の適用例に係る電子時計において、前記表示部は、電気泳動素子を含んでいてもよい。
【００１２】
本適用例によれば、電気泳動素子を含む表示部を有するので、高コントラストでかつ広視野角で第１時間及び第２時間を表示できる。したがって、野外の競技場の観客席でも見やすい電子時計を実現できる。
【００１３】
また、上述のように、表示部は、操作部が操作を受け付けた時刻から第１所定時間が経過するまでの経過時間を分単位で表示するので、秒単位で表示する場合に比べて書き換え回数を減らすことができる。したがって、消費電力を抑制できる電子時計を実現できる。
【００１４】
［適用例３］
上述の適用例に係る電子時計において、前記第１所定時間が経過するまでの前記経過時間を表示する場合の背景画像と、前記第１所定時間が経過した後の前記経過時間を表示する場合の背景画像とが異なってもよい。
【００１５】
第１所定時間が経過するまでの前記経過時間及び第１所定時間が経過した後の前記経過時間を文字で表示する場合には、文字よりも背景の方が、表示面積が大きいのが一般的である。本適用例によれば、第１所定時間が経過するまでの経過時間を表示する場合の背景画像と、第１所定時間が経過した後の経過時間を表示する場合の背景画像とが異なるので、表示されているのが、第１所定時間が経過するまでの経過時間であるか、第１所定時間が経過した後の経過時間であるかを容易に識別できる電子時計を実現できる。
【００１６】
［適用例４］
上述の適用例に係る電子時計において、前記表示部は、前記第１所定時間が経過するまでの前記経過時間をカウントアップで更新して表示してもよい。
【００１７】
本適用例によれば、表示部が第１所定時間が経過するまでの前記経過時間をカウントアップで更新して表示するので、テレビ中継などでユーザーが見慣れた経過時間の表示方法と同じになるので、経過時間を認識しやすい電子時計を実現できる。
【００１８】
［適用例５］
上述の適用例に係る電子時計において、前記表示部は、前記第１所定時間が経過した後の経過時間をカウントアップで更新して表示してもよい。
【００１９】
本適用例によれば、表示部が第１所定時間が経過した後の経過時間をカウントアップで更新して表示するので、テレビ中継などでユーザーが見慣れた経過時間の表示方法と同じになるので、経過時間を認識しやすい電子時計を実現できる。
【００２０】
［適用例６］
上述の適用例に係る電子時計において、前記計時部は、前記第１所定時間が経過した時刻から第２所定時間が経過した場合に、計時を終了してもよい。
【００２１】
本適用例によれば、多くの場合では計時を終了させる操作が不要になるので、操作が容易な電子時計を実現できる。
【００２２】
［適用例７］
上述の適用例に係る電子時計において、前記計時部は、前記第１所定時間が互いに異なる第１モード及び第２モードを有していてもよい。
【００２３】
本適用例によれば、試合時間が異なる複数のスポーツに対応した電子時計、又は、通常の試合時間と延長戦の試合時間とが異なるスポーツに対応した電子時計を実現できる。
【００２４】
［適用例８］
上述の適用例に係る電子時計において、前記第１モードにおける前記第２所定時間と、前記第２モードにおける前記第２所定時間とが異なっていてもよい。
【００２５】
本適用例によれば、ハーフタイムやアディショナルタイムの標準的な時間の長さが異なる複数のスポーツに対応した電子時計、又は、通常のハーフタイムやアディショナルタイムの時間の長さと延長戦のハーフタイムやアディショナルタイムの時間の長さとが異なるスポーツに対応した電子時計を実現できる。
【図面の簡単な説明】
【００２６】
【図１】本実施形態の電子時計の外観図。
【図２】本実施形態の電気泳動表示装置の機能ブロック図。
【図３】本実施形態の表示部及び描画ＩＣの構成を示す図。
【図４】本実施形態の画素の回路構成図。
【図５】図５（Ａ）は電気泳動素子の構成例を示す図。図５（Ｂ）、図５（Ｃ）は電気泳動素子の動作の説明図。
【図６】本実施形態における表示部の画像を更新する方法の説明図。
【図７】表示部４の表示モードの遷移を示す図。
【図８】スポーツタイマーモードにおける表示部４の表示内容の遷移を示す図。
【図９】スポーツタイマーモードにおける処理手順の概略を示すフローチャート。
【発明を実施するための形態】
【００２７】
以下、本発明の好適な実施形態について図面を用いて詳細に説明する。用いる図面は説明の便宜上のものである。なお、以下に説明する実施の形態は、特許請求の範囲に記載された本発明の内容を不当に限定するものではない。また以下で説明される構成の全てが本発明の必須構成要件であるとは限らない。
【００２８】
１．電子時計の概要
図１は本実施形態の電子時計１の外観図であり、電子時計１を表示部４に垂直かつ表示部を視認可能な方向（正面）からみた平面図である。
【００２９】
本実施形態に係る電子時計１は、操作を受け付ける操作部と、操作部が前記操作を受け付けた時刻からの経過時間を計時する計時部と、前記経過時間を表示する表示部４と、を備えて構成されている。
【００３０】
図１に示すように、本実施形態の電子時計１は、腕時計であり、時計ケース２や時計ケース２に連結された一対のバンド３等を備える。
【００３１】
時計ケース２の正面には、電気泳動表示（ＥＰＤ：Electrophoretic Display）パネルで構成された表示部４が設けられ、時計ケース２の側面（正面の方向に対して垂直な方向）には、操作ボタンＡ（５ａ）と操作ボタンＢ（５ｂ）（操作を受け付ける操作部の一例）とが設けられている。操作ボタンＡ（５ａ）及び操作ボタンＢ（５ｂ）は、例えば、タッチパネルを用いて構成されていてもよい。
【００３２】
操作ボタンＡ（５ａ）又は操作ボタンＢ（５ｂ）の押下操作（入力操作）に応じて、表示部４には各種の画像、例えば、操作ボタンＡ（５ａ）又は操作ボタンＢ（５ｂ）が操作を受け付けた時刻からの経過時間、１分毎あるいは１秒毎に更新される時刻情報を含む各種の画像、時刻修正用の画像等が表示される。
【００３３】
時計ケース２の内部には、表示部４と表示部４を駆動する駆動装置（不図示）と操作部が操作を受け付けた時刻からの経過時間を計時する計時部（不図示）とを備えた電気泳動表示装置（表示部４以外は不図示）が設けられている。
【００３４】
２．電気泳動表示装置の構成
図２は、本実施形態の電子時計１が備える電気泳動表示装置７の機能ブロック図である。図２に示すように、本実施形態の電子時計１が備える電気泳動表示装置７は、表示部４（図１参照）と駆動装置６とを有し、駆動装置６は、演算ＩＣ（Integrated Circuit）１０、リアルタイムクロック（ＲＴＣ：Real Time Clock）ＩＣ２０、描画ＩＣ３０、温度計測ＩＣ４０及びリセットＩＣ５０を備えている。後述するように、本実施形態では、これらのＩＣ及び表示部４の低消費電力化を実現することで、電気泳動表示装置７は、ボタン電池等の小容量の一次電池６０でも数年間動作を継続するように構成されている。ただし、電気泳動表示装置７は、充電可能な電池（二次電池）で動作するように構成されていてもよい。
【００３５】
本実施形態では、演算ＩＣ１０は、書き換え可能なフラッシュＲＯＭ１２が内蔵された汎用性の高いマイクロコンピューターユニット（ＭＣＵ）を用いて実現されており、フラッシュＲＯＭ１２に記憶されているプログラムやデータに従って動作する。従って、フラッシュＲＯＭ１２に記憶されるプログラムやデータを書き換えることで、演算ＩＣ１０の機能を容易に変更可能である。また、演算ＩＣ１０が内蔵されたムーブメント（時計の駆動装置）の状態でプログラムやデータを書き換えることもできるので、プログラム変更にも容易に対応することができる。
【００３６】
演算ＩＣ１０は、操作ボタンＡ（５ａ）及び操作ボタンＢ（５ｂ）の押下操作（入力操作）に応じて、表示部４に表示する画像の種類、モード及び複数のモードの組み合わせを判断する処理を行う。演算ＩＣ１０が判断するモードは、例えば、表示モードとして、時刻を表示する時刻表示モード、後述されるスポーツタイマーモード、スポーツタイマーモードにおける第１モード及び第２モード、時刻を修正するための時刻修正モード等がある。また、演算ＩＣ１０が判断するモードは、例えば、動作モードとして、１分毎に更新される時刻表示又は経過時間表示を含む画像が表示部４に表示される分更新モード、１秒毎に更新される時刻表示又は経過時間表示を含む画像が表示部４に表示される秒更新モード等がある。
【００３７】
演算ＩＣ１０は、例えば、分更新モード、秒更新モードでは、リアルタイムクロックＩＣ２０から日付や時刻等の時刻情報を取得し、表示部４に表示する内容を決定する処理を行い、時刻修正モードでは、操作ボタンＡ（５ａ）及び操作ボタンＢ（５ｂ）の押下操作（入力操作）に応じた時刻修正値をリアルタイムクロックＩＣ２０に送信する処理を行う。
【００３８】
フラッシュＲＯＭ１２には、表示部４に表示されている画像を消去するためのマクロ命令（画像消去のマクロ命令）や表示部４に新規画像を描画するためのマクロ命令（新規画像描画のマクロ命令）が記憶されている。演算ＩＣ１０は、所定のタイミングで、フラッシュＲＯＭ１２から所望のマクロ命令を読み出し、描画ＩＣ３０に送信する処理を行う。
【００３９】
また、演算ＩＣ１０は、描画ＩＣ３０から表示部４に画像データを転送させる処理や描画ＩＣ３０に表示部４を駆動させる処理を行う。また、演算ＩＣ１０は、表示部４を駆動するための基準信号（例えば４ｋＨｚ）を描画ＩＣ３０に供給する。
【００４０】
また、演算ＩＣ１０は、リセットＩＣ５０からリセット信号が供給された時に、例えば強制的に時刻修正モードにするなどの初期化処理を行う。
【００４１】
また、演算ＩＣ１０は、温度計測ＩＣ４０や描画ＩＣ３０に電力を供給する処理、温度計測ＩＣ４０から温度計測値を読み出す処理、読み出した温度計測値に基づいて表示部４の駆動パルスの印加時間や印加タイミングを決定する処理を行う。
【００４２】
また、演算ＩＣ１０は通常動作モードとスリープモードとを有しており、通常動作モードでは演算ＩＣ１０に内蔵の発振回路（例えば、コンデンサーＣ（Capacitor）と抵抗Ｒ（Resistor）で構成されたＣＲ発振回路）が出力するクロック信号に同期して動作し、スリープモードでは発振回路が停止して通常動作モードよりも低消費電力となる。低消費電力化を実現するために、演算ＩＣ１０は、表示部４の表示を更新するための処理（上記の各処理）を行う時は通常動作モードで動作し、何も処理を行わない時は、現在のモード情報や使用中のデータを演算ＩＣ１０に内蔵のＲＡＭ（Random Access Memory）（不図示）に退避し、スリープモードで待機する。例えば、分更新モードや絵巻モードが選択されている場合、演算ＩＣ１０は、通常動作モードの時に、表示部４に表示させる画像の描画情報（マクロ命令）を描画ＩＣ３０に送信し、リアルタイムクロックＩＣ２０が有するタイマー２２に計測を開始させた後、スリープモードに移行する。また、演算ＩＣ１０は、スリープモードの時に、リアルタイムクロックＩＣ２０からタイマー２２の所定時間を計測したこと（計測終了）を示す割り込み信号ＩＮＴ（計測終了信号）を受信して通常動作モードに移行する。
【００４３】
この他、演算ＩＣ１０は、温度計測ＩＣ４０から温度計測値を読み出して正常動作可能な高温限界または低温限界に達したか否かを判断する処理や、一次電池６０の電圧値を監視して低電圧限界に達したか否かを判断する処理等を行ってもよい。
【００４４】
本実施形態では、演算ＩＣ１０は、あらかじめフラッシュＲＯＭ１２に記憶されているプログラムを実行することで各処理を行うが、ネットワークに接続されたサーバーからネットワークを介してプログラムを受信し、当該プログラムを内部メモリーに記憶させて実行するようにしてもよい。また、電子時計１を、メモリーカード等の情報記憶媒体を接続可能に構成し、演算ＩＣ１０が当該情報記憶媒体に記憶されているプログラムを実行することで各処理を行うようにしてもよい。
【００４５】
リアルタイムクロックＩＣ２０（計時部の一例）は、水晶振動子２４を発振させて例えば３２，７６８ｋＨｚの発振信号を生成し、この発振信号を分周したクロック信号で秒、分、時等の時刻や日、月、年等の日付を計時し、秒、分、時、日、月、年等を含む時刻情報を生成する。この時刻情報は、リアルタイムクロックＩＣ２０が内蔵するレジスター（不図示）に格納され、リアルタイムクロックＩＣ２０は、演算ＩＣ１０からの要求に応じて、レジスターに格納されている一部又は全部の時刻情報を演算ＩＣ１０に送信する。
【００４６】
また、リアルタイムクロックＩＣ２０は、演算ＩＣ１０からの要求に応じて、タイマー２２の計測を開始し、タイマー２２の計測が終了すると演算ＩＣ１０に割り込み信号ＩＮＴ（計測終了信号）を送信する。タイマー２２が計測する時間は、一定時間であってもよいし、演算ＩＣ１０により指定された時間であってもよい。
【００４７】
描画ＩＣ３０は、演算ＩＣ１０からの画像消去のマクロ命令に応じて、現在の画像を消去するための画像データを描画ＩＣ３０に内蔵するＶＲＡＭ（Video RAM）３４に展開する処理や、演算ＩＣ１０からの新規画像描画のマクロ命令に応じて、新規画像を表示するための画像データをＶＲＡＭ上に展開する処理を行う。また、描画ＩＣ３０は、表示部４に電力を供給し、ＶＲＡＭ３４に展開した画像データを表示部４に転送する処理、描画ＩＣ３０に内蔵する昇圧回路３６で外部電源電圧（例えば５Ｖ）を昇圧した高電圧（例えば１５Ｖ）の駆動パルスを生成し、表示部４を駆動する処理を行う。
【００４８】
描画ＩＣ３０が内蔵するフラッシュＲＯＭ３２には、表示部４に表示される画像のパーツデータ（例えば、図１の表示を行うための「１」、「０」、「：」等のパーツデータ）、背景データ等が記憶されている。演算ＩＣ１０から送信される画像消去のマクロ命令や新規画像描画のマクロ命令には、描画すべきパーツデータとその座標（各パーツデータの原点を配置すべき座標）の情報あるいは描画すべき背景データの情報等が含まれている。描画ＩＣ３０は、画像消去のマクロ命令や新規画像描画のマクロ命令に従い、フラッシュＲＯＭ３２に記憶されているパーツデータを読み出し、選択した各パーツを表示部４の表示領域の表示すべき座標に対応するＶＲＡＭ３４のアドレスに書き込み、あるいは、フラッシュＲＯＭ３２に記憶されている背景データを読み出してＶＲＡＭ３４の所定のアドレスに書き込む。
【００４９】
また、描画ＩＣ３０は、演算ＩＣ１０から供給される基準信号（例えば４ｋＨｚ）を用いて、駆動パルスの印加（送信）タイミングやパルス幅を調整する。また、描画ＩＣ３０は、ＣＲ発振回路等の発振回路（不図示）を内蔵し、この発振回路により比較的高い周波数（例えば４００ｋＨｚ）のクロック信号を生成し、駆動パルスの生成処理を除く上記の各処理を行う。このように、描画ＩＣ３０が、内蔵の発振回路により生成されるクロック信号よりも周波数が十分低い基準信号（例えば４ｋＨｚ）を用いて駆動パルスの印加（送信）タイミングやパルス幅を調整することで、低消費電力化を図ることができる。
【００５０】
なお、分更新モードが選択されている場合、リアルタイムクロックＩＣ２０は、毎分００秒ちょうどになると、００秒の合図信号を演算ＩＣ１０に送信し、演算ＩＣ１０は、この合図信号を受信し、描画ＩＣ３０に対して表示部４への駆動パルスの印加（送信）を指示する。描画ＩＣ３０は、この指示を受けて表示部４に駆動パルスを印加（送信）し、表示部４は、駆動パルスを受けて新規画像（１分が経過した時刻を含む画像）を表示する。このように、分更新モードにおいて、表示部４の画像更新をリアルタイムクロックＩＣ２０が送信する正確な合図信号に同期させることで、描画ＩＣ３０が生成する非同期のクロック信号に同期させる場合と比較して、より正確なタイミングで時刻表示が変わり始めるようにすることができる。
【００５１】
温度計測ＩＣ４０は、演算ＩＣ１０から電力を供給されて動作し、演算ＩＣ１０からの要求に応じて温度を計測し、温度計測ＩＣ４０に内蔵するＡ／Ｄ変換器（不図示）で温度計測値をデジタル値に変換して演算ＩＣ１０に送信する処理を行う。
【００５２】
リセットＩＣ５０は、操作ボタンＡ（５ａ）及び操作ボタンＢ（５ｂ）に対する所定の押下操作（例えば、同時に所定時間以上長押し）が行われた場合に、リセットＩＣ５０に内蔵のＣＲ回路（不図示）により所定時間だけリセット信号を発生させて演算ＩＣ１０に供給する。
【００５３】
３．表示部及び描画ＩＣの構成
図３は、本実施形態の表示部４及び描画ＩＣ３０の構成を示す図である。図３に示すように、本実施形態の表示部４は、アクティブマトリックス方式の電気泳動表示パネル（ＥＰＤパネル）であり、文字、数字、写真、模様、イラスト等の様々な画像を表示可能である。
【００５４】
表示部４には、データ線駆動回路１０１及び走査線駆動回路１０２が設けられている。また、表示部４には、データ線駆動回路１０１から延びる複数のデータ線１１１と、走査線駆動回路１０２から延びる複数の走査線１１２とが形成されており、これらの交差位置に対応して複数の画素１０３が設けられている。
【００５５】
データ線駆動回路１０１は、ｎ本のデータ線１１１（Ｘ１、Ｘ２、・・・、Ｘｎ）により各画素１０３に接続されている。データ線駆動回路１０１は、描画ＩＣ３０が内蔵するコントローラー３１の制御に従って、画素１０３のそれぞれに対応する１ビットの画像データを規定する画像信号を画素１０３に供給する。なお、本実施形態では、データ線駆動回路１０１は、画素データ「０」を規定する場合には、ローレベルの画像信号を画素１０３に供給し、画素データ「１」を規定する場合には、ハイレベルの画像信号を画素１０３に供給するものとする。
【００５６】
走査線駆動回路１０２は、ｍ本の走査線１１２（Ｙ１、Ｙ２、・・・、Ｙｍ）により各画素１０３に接続されている。走査線駆動回路１０２は、コントローラー３１の制御に従って１行目からｍ行目までの走査線１１２を順次選択することで、画素１０３に設けられた駆動用ＴＦＴ１０４（図４参照）のオンタイミングを規定する選択信号を供給する。
【００５７】
表示部４には、描画ＩＣ３０のＶＤＤＸ端子を介してコントローラー３１から延びる高電位電源線２０５が設けられており、この高電位電源線２０５はデータ線駆動回路１０１と接続されている。また、表示部４には、描画ＩＣ３０のＶＤＤＹ端子を介してコントローラー３１から延びる高電位電源線２０６が設けられており、この高電位電源線２０６は走査線駆動回路１０２と接続されている。コントローラー３１は、高電位電源線２０５，２０６に高電位（５Ｖ）を供給するか否かの制御を行う。
【００５８】
また、表示部４には、描画ＩＣ３０のＶＳＳＸ端子を介してコントローラー３１から延びる低電位電源線２０７が設けられており、この低電位電源線２０７はデータ線駆動回路１０１と接続されている。また、表示部４には、描画ＩＣ３０のＶＳＳＹ端子を介してコントローラー３１から延びる低電位電源線２０８が設けられており、この低電位電源線２０８は走査線駆動回路１０２と接続されている。コントローラー３１は、低電位電源線２０７，２０８に低電位（０Ｖ）を供給する。
【００５９】
また、表示部４には、描画ＩＣ３０のＶＣＯＭ端子、Ｓ１端子、Ｓ２端子、ＶＥＰ端子、ＶＳＳ端子を介して、それぞれ、共通電源変調回路３７から延びる共通電極配線２００、第１パルス信号線２０１、第２パルス信号線２０２、高電位電源線２０３、低電位電源線２０４が設けられており、それぞれの配線は画素１０３と接続されている。共通電源変調回路３７は、コントローラー３１の制御に従って上記配線のそれぞれに供給する各種信号を生成する一方、これら各配線の電気的な接続及び切断（ハイインピーダンス化、Ｈｉ−Ｚ）を行う。
【００６０】
描画ＩＣ３０は、コントローラー３１、フラッシュＲＯＭ３２、発振回路３３、ＶＲＡＭ３４、ＲＡＭ３５、昇圧回路３６及び共通電源変調回路３７を含んで構成されている。コントローラー３１は、イネーブル端子ＸＰＤＷに演算ＩＣ１０からイネーブル信号（ハイレベルの信号）が入力されるまではパワーオフ状態であり、イネーブル信号が入力されるとパワーオンする。コントローラー３１は、パワーオン状態の時、ＲＡＭ３５を作業領域として、フラッシュＲＯＭ３２、発振回路３３、ＶＲＡＭ３４、昇圧回路３６及び共通電源変調回路３７を制御し、表示部４に画像を表示させるための各処理を行う。
【００６１】
図４は、図３に示した画素１０３の回路構成図である。なお、図３と同じ配線には同じ番号を付しており、説明は省略する。また、全画素に共通の共通電極配線２００については記載を省略している。
【００６２】
図４に示すように、画素１０３には、駆動用ＴＦＴ（Thin Film Transistor）１０４と、ラッチ回路１０５と、スイッチ回路１０６が設けられている。画素１０３は、ラッチ回路１０５により画像信号を電位として保持するＳＲＡＭ（Static Random Access Memory）方式の構成となっている。
【００６３】
駆動用ＴＦＴ１０４は、Ｎチャネル型ＭＯＳ（Metal Oxide Semiconductor）トランジスタからなる画素スイッチング素子である。駆動用ＴＦＴ１０４のゲート端子は走査線１１２に接続され、ソース端子はデータ線１１１に接続され、ドレイン端子はラッチ回路１０５のデータ入力端子に接続されている。ラッチ回路１０５は転送インバーター１０５ｔと帰還インバーター１０５ｆとを備えている。転送インバーター１０５ｔ、帰還インバーター１０５ｆには、高電位電源線２０３と低電位電源線２０４との電位差に相当する電源電圧が供給される。
【００６４】
スイッチ回路１０６は、トランスミッションゲートＴＧ１、ＴＧ２からなり、ラッチ回路１０５に記憶された画素データのレベルに応じて、画素電極１３５（図５（Ｂ）、図５（Ｃ）参照）に信号を出力する。
【００６５】
ラッチ回路１０５に画素データ「１」（ハイレベルの画像信号）が記憶されて、トランスミッションゲートＴＧ１がオン状態となると、スイッチ回路１０６は第１パルス信号線２０１に伝搬する信号を出力する。一方、ラッチ回路１０５に画素データ「０」（ローレベルの画像信号）が記憶されて、トランスミッションゲートＴＧ２がオン状態となると、スイッチ回路１０６は第２パルス信号線２０２に伝搬する信号を出力する。このような回路構成により、それぞれの画素１０３の画素電極１３５に対して供給する電位が制御可能となる。
【００６６】
表示部４は、一対の基板間に電気泳動粒子を含む電気泳動素子１３２を挟持し、少なくとも第１色と第２色を表示可能な画素６３を有して構成されていてもよい。本実施形態では、表示部４は、二粒子系マイクロカプセル型の複数の電気泳動素子１３２を有し、各電気泳動素子１３２に電界をかけることで各画素１０３の色が制御される。図５（Ａ）は、本実施形態の電気泳動素子１３２の構成を示す図である。電気泳動素子１３２は素子基板１３０と対向基板１３１（図５（Ｂ）、図５（Ｃ）参照）との間に配置されている。電気泳動素子１３２は、複数のマイクロカプセル１２０を配列して構成される。マイクロカプセル１２０は、例えば無色透明な分散液と、複数の白色の電気泳動粒子（白色粒子１２７）と、複数の黒色の電気泳動粒子（黒色粒子１２６）とが封入されている。本実施形態では、白色粒子１２７は負に帯電しており、黒色粒子１２６は正に帯電している。なお、電気泳動粒子の色は黒色及び白色に代えて、赤色及び白色など、他の組み合わせであってもよい。また、本明細書においてある物が「無色」とは、その物を介して対象物を見た場合に、その物を介さずに見た場合と比較して、対象物の色が実質的に同じと認識できる状態を言う。また、ある物が「透明」であるとは、その物を介して対象物を視認可能な状態を言う。
【００６７】
図５（Ｂ）は、表示部４の部分断面図である。素子基板１３０と対向基板１３１は、マイクロカプセル１２０を配列してなる電気泳動素子１３２を狭持している。表示部４は、素子基板１３０の電気泳動素子１３２側に、複数の画素電極１３５が形成された駆動電極層３５０が設けられている。図５（Ｂ）では、画素電極１３５として画素電極１３５Ａと画素電極１３５Ｂが示されている。画素電極１３５により、画素ごとに電位（例えば、Ｖａ、Ｖｂ）を供給することが可能である。ここで、画素電極１３５Ａを有する画素を画素１０３Ａとし、画素電極１３５Ｂを有する画素を画素１０３Ｂとする。画素１０３Ａ、画素１０３Ｂは画素１０３（図３、図４参照）に対応する２つの画素である。
【００６８】
一方、対向基板１３１は透明基板であり、表示部４において対向基板１３１側に画像表示がなされる。表示部４は、対向基板１３１の電気泳動素子１３２側に、平面形状の共通電極１３７が形成された共通電極層３７０が設けられている。なお、共通電極１３７は透明電極である。共通電極１３７は、画素電極１３５と異なり全画素に共通の電極であり、電位ＶＣＯＭが供給される。
【００６９】
共通電極層３７０と駆動電極層３５０との間に設けられた電気泳動表示層３６０に電気泳動素子１３２が配置されており、電気泳動表示層３６０が表示領域となる。画素電極１３５（例えば、１３５Ａ、１３５Ｂ）と共通電極１３７との間の電位差に応じて、画素毎に所望の色を表示させることができる。
【００７０】
図５（Ｂ）は、共通電極側の電位ＶＣＯＭが画素１０３Ａの画素電極１３５Ａの電位Ｖａ及び画素１０３Ｂの画素電極１３５Ｂの電位Ｖｂよりも高電位の状態を示している。このとき、画素電極１３５Ａ，１３５Ｂと共通電極１３７との間には、電位ＶＣＯＭを基準として負の電圧が印加されるため、負に帯電した白色粒子１２７が共通電極１３７側に引き寄せられ、正に帯電した黒色粒子１２６が画素電極１３５Ａ，１３５Ｂ側に引き寄せられ、画素１０３Ａ，１０３Ｂは白色（第１色の一例）を表示していると視認される。
【００７１】
図５（Ｃ）は、図５（Ｂ）の状態から、共通電極１３７側の電位ＶＣＯＭが画素１０３Ａの画素電極１３５Ａの電位Ｖａよりも低電位となり、画素１０３Ｂの画素電極１３５Ｂの電位Ｖｂと同電位となった状態を示している。このとき、画素電極１３５Ａと共通電極１３７との間には、電位ＶＣＯＭを基準として正の電圧が印加されるため、正に帯電した黒色粒子１２６が共通電極１３７側に引き寄せられ、負に帯電した白色粒子１２７が画素電極１３５Ａ側に引き寄せられ、画素１０３Ａは白色から黒色（第２色の一例）に変化したと視認される。一方、画素電極１３５Ｂと共通電極１３７との間では、電位差が生じていないため、黒色粒子１２６と白色粒子１２７は図５（Ｂ）の位置でほとんど移動せず、画素１０３Ａは白色のまま変化していないと視認される。
【００７２】
なお、画素電極１３５と共通電極１３７との電位差の大きさあるいは電位差を生じさせる時間を制御することで、黒色粒子１２６と白色粒子１２７を両電極間の任意の中間位置で静止させれば、黒色と白色の間の任意の中間色（灰色）を表示させることもできる。
【００７３】
このように、ＥＰＤパネルは、一定時間、電力が供給されなくても画像を保持できるため低消費電力動作が可能であり、また、液晶パネルに比べて高コントラストであり、１８０度視認可能であるため、腕時計等の携帯型の電子時計１の表示部４としての使用にも適している。
【００７４】
４．画像更新方法
図６は、表示部４の画像を更新する方法について説明するための図である。図６では、１分毎に時刻表示を更新する例が示されている。
【００７５】
図６の例では、まず、時刻が１０時５分の時に、表示部４には、「１０：０５」の表示位置にある画素が黒色であり、その他の画素が白色である画像Ａが表示されている。
【００７６】
次に、時刻が１０時６分になる少し前に、表示部４には、全面黒色の画像Ｂが表示される。画像Ａから画像Ｂに更新する際は、まず、黒色の画素には電圧を印加せずに（０Ｖを印加して）白色の画素に負の電圧を印加する部分駆動方式により全面黒色の画像を表示させ、さらに、すべての画素に負の電圧を印加する全面駆動方式により全面黒色の画像を再表示させる。全面駆動方式とは、当該方式を用いた駆動（描画）の期間において、すべての画素に（共通電極１３７と画素電極１３５との間の）電位差が生じる駆動方式である。
【００７７】
次に、表示部４には、全面白色の画像Ｃが表示される。画像Ｂから画像Ｃに更新する際は、まず、すべての画素に正の電圧を印加する全面駆動方式により全面白色の画像を表示させ、次に、画像Ａにおいて白色だった画素には電圧を印加せずに（０Ｖを印加して）画像Ａにおいて黒色だった画素に正の電圧を印加する部分駆動方式により全面白色の画像を再表示させる。部分駆動方式とは、当該方式を用いた駆動（描画）の期間において、（共通電極１３７と画素電極１３５との間の）電位差が生じないと画素が存在する駆動方式である。
【００７８】
次に、時刻が１０時６分になると、表示部４には、「１０：０６」の表示位置にある画素が黒色であり、その他の画素が白色である画像Ｄが表示される。画像Ｃから画像Ｄに更新する際は、「１０：０６」の表示位置にない画素には電圧を印加せずに（０Ｖを印加して）「１０：０６」の表示位置にある画素に負の電圧を印加する部分駆動方式により画像Ｄを表示させる。
【００７９】
このように、本実施形態では、部分駆動方式と全面駆動方式により全面黒色の画像を表示させ、さらに全面駆動方式と部分駆動方式により全面白色の画像を表示させることで元の画像を消去し、その後、部分駆動方式により次の画像（新規画像）を表示させる。すなわち、本実施形態の画像更新方法によれば、全画素が白色の状態から次の画像が表示されるため、画像毎に色合いが変わるという問題が生じにくい。また、本実施形態の画像更新方法によれば、各画素電極１３５と共通電極１３７との間に印加される電界の時間平均がほぼゼロになり、ＤＣバランスがとられるため、電気泳動表示装置７の長期信頼性を確保することができる。
【００８０】
ところで、表示部４（ＥＰＤパネル）に対して、画像を消去し、あるいは新規画像を描画するために必要な駆動時間（駆動パルスの印加時間）は、温度に応じて変化し、一般に、温度が低いほど長い駆動時間が必要になる。そこで、本実施形態では、画像を更新する際に温度に応じて駆動時間を変更するために、演算ＩＣ１０が内蔵するフラッシュＲＯＭ１２には、温度と駆動パルスの印加時間との対応関係を示すテーブル情報が記憶されている。
【００８１】
演算ＩＣ１０は、画像を更新する前に温度計測ＩＣ４０の温度計測値を取得し、フラッシュＲＯＭ１２に記憶されているテーブル情報を参照し、例えば、描画ＩＣ３０に表示部４への画像データの転送を指示する際に、温度に応じた適切な駆動パルスの印加時間を指示する。
【００８２】
５．表示モードの遷移
図７は、表示部４の表示モードの遷移を示す図である。図７に示される例では、表示部４は、表示モードとして、時刻表示モードとスポーツタイマーモードとを有している。また、表示部４は、スポーツタイマーモードにおいて、表示モードとして、第１モードと第２モードとを有している。なお、表示部４は、スポーツタイマーモードにおいて、第１モードのみを有していてもよい。
【００８３】
本実施形態では、ユーザーが操作ボタンＢを押して離すと、演算ＩＣ１０は時刻表示モード、第１モード及び第２モードを順に切り替えて選択する。
【００８４】
６．時刻表示モード
時刻表示モードにおいて、表示部４は、時刻情報を１分毎に更新して表示する。なお、表示部４は、時刻情報を１秒毎に更新して表示してもよい。また、表示部４は、フォントや背景画像の異なる複数の時刻表示モードを有していてもよい。
【００８５】
７．スポーツタイマーモード；第１モード
図８は、スポーツタイマーモードにおける表示部４の表示内容の遷移を示す図である。図９は、スポーツタイマーモードにおける処理手順の概略を示すフローチャートである。
【００８６】
スポーツタイマーモードにおいて、表示部４は、操作部が操作を受け付けた時刻から第１所定時間が経過するまでの経過時間である第１時間を分単位で表示し、操作部が前記操作を受け付けた時刻から第１所定時間が経過した後の経過時間である第２時間を秒単位で表示する。
【００８７】
例えば、日本のプロサッカーリーグを観戦する場合には、第１所定時間を４５分に設定する。この場合、試合の前半又は後半の開始から４５分までが第１時間、４５分を経過した後（アディショナルタイム）が第２時間に相当する。
【００８８】
まず、表示部４の表示モードがスポーツタイマーモードの第１モードに設定されると、表示部４は、図８（Ａ）に示される初期画像を表示する（ステップＳ１００）。本実施形態においては、演算ＩＣ１０が描画ＩＣに初期画像を表示させるマクロ命令を送信し、表示部４への画像データの転送及び表示部４の駆動を指示する。図８（Ａ）に示される初期画像では、第１所定時間としての４５分を表す「４５」の文字が表示されている。また、図８（Ａ）に示される画像では、０分から４５分まで１分刻みで付された目盛りと分針とを有するアナログ時計に相当する（アナログ時計を模した）画像が表示されている。
【００８９】
ステップＳ１００の後に、表示部４が図８（Ａ）に示される初期画像を表示している状態で、演算ＩＣ１０は、操作部が所定の操作を受け付けたか否かを判定する（ステップＳ１０２）。本実施形態においては、操作ボタンＡ（操作部）を押して離す操作（所定の操作の一例）を受け付けたか否かを演算ＩＣ１０が判定する。操作部が所定の操作を受け付けていないと演算ＩＣ１０が判定した場合（ステップＳ１０２でＮＯの場合）には、ステップＳ１０２を繰り返す。
【００９０】
操作部が所定の操作を受け付けたと演算ＩＣ１０が判定した場合（ステップＳ１０２でＹＥＳの場合）には、計時部が計時を開始する（ステップＳ１０４）。本実施形態においては、演算ＩＣ１０がリアルタイムクロックＩＣ２０に計測開始要求信号を送信することによって、リアルタイムクロックＩＣ２０が計時を開始する。
【００９１】
ステップＳ１０４の後に、又はステップＳ１０４と同時に、表示部４は、表示を更新して、図８（Ｂ）に示される第１経過時間表示画像を表示する（ステップＳ１０６）。本実施形態においては、演算ＩＣ１０が描画ＩＣに第１経過時間表示画像を表示させるマクロ命令を送信し、表示部４への画像データの転送及び表示部４の駆動を指示する。図８（Ｂ）に示される第１経過時間表示画像では、操作部が所定の操作を受け付けたタイミングからの経過時間（第１時間）が分単位で表示されている。また、図８（Ｂ）に示される画像では、０分から４５分まで１分刻みで付された目盛りと分針とを有するアナログ時計に相当する画像が表示されている。図８（Ｂ）はカウントアップの表示を行う例を示しており、図８（Ａ）の「４５」の表示に替えて、計時された経過時間を示す「００」が表示されており、時計の針は０分の位置に表示されている。また、図８（Ａ）のメニュー（「ＭＯＤＥ」「ＳＴＡＲＴ」）を示す表示に替えて、試合中（計時中）であることを示す文字列「ＤＵＲＩＮＧ  ＴＨＥ  ＭＡＴＣＨ」が表示されている。
【００９２】
ステップＳ１０６の後に、演算ＩＣ１０は、操作部が所定の操作を受け付けてから（計時を開始してから）第１所定時間を経過したか否かを判定する（ステップＳ１０８）。
【００９３】
操作部が所定の操作を受け付けてから（計時を開始してから）第１所定時間を経過していないと演算ＩＣ１０が判定した場合（ステップＳ１０８でＮＯの場合）には、演算ＩＣ１０は、ステップＳ１０６を実行してから１分が経過したか否かを判定する（ステップＳ１１０）。具体的には、リアルタイムクロックＩＣ２０から、１分が経過したことを示す時刻情報を演算ＩＣ１０が受信したか否かを判定する。例えば、リアルタイムクロックＩＣ２０は、計時を開始してから１分が経過する毎に演算ＩＣ１０に時刻情報（経過時間の情報）を送信し、演算ＩＣ１０は、時刻情報を受信した場合に１分が経過したと判定してもよい。ステップＳ１０６を実行してから１分が経過していないと演算ＩＣ１０が判定した場合（ステップＳ１１０でＮＯの場合）には、ステップＳ１１０を繰り返す。
【００９４】
ステップＳ１０６を実行してから１分が経過したと演算ＩＣ１０が判定した場合（ステップＳ１１０でＹＥＳの場合）には、表示部４は、表示内容を更新して、図８（Ｂ）に示される第１経過時間表示画像を表示する（ステップＳ１０６）。第１経過時間表示画像には、操作部が所定の操作を受け付けたタイミングからの経過時間が分単位で表示されているので、ステップＳ１０６が実行される毎に、第１経過時間表示画像を新たな表示内容、つまり時間が１分変化した画像に更新して表示部４に表示させる。本実施形態においては、カウントアップの場合、時計の針が１分進み、数字が「０１」に更新された画像を表示させる。
【００９５】
ステップＳ１０８で、操作部が所定の操作を受け付けてから（計時を開始してから）第１所定時間を経過したと演算ＩＣ１０が判定した場合（ステップＳ１０８でＹＥＳの場合）には、表示部４は、表示を更新して、図８（Ｃ）に示される第２経過時間表示画像を表示する（ステップＳ１１２）。本実施形態においては、演算ＩＣ１０が描画ＩＣに第１経過時間表示画像を表示させるマクロ命令を送信し、表示部４への画像データの転送及び表示部４の駆動を指示する。図８（Ｃ）に示される第２経過時間表示画像では、操作部が所定の操作を受け付けたタイミングからの経過時間（第２時間）が秒単位で表示されている。また、図８（Ｃ）に示される第２経過時間表示画像では、デジタル時計を模した画像と、アディショナルタイムであることを示す文字列が表示されている。なお、第１所定時間が経過した後の経過時間の表示は、第２時間をそのまま表示しても、第２時間から第１時間を除いた時間を表示してもよい。例えば、図８（Ｃ）において第１時間を除いた表示を行う場合には、分桁（「４５」）をゼロ（「００」）にすればよい。
【００９６】
ステップＳ１１２の後に、演算ＩＣ１０は、第１所定時間を経過してから第２所定時間を経過したか否かを判定する（ステップＳ１１４）。
【００９７】
第１所定時間を経過してから第２所定時間を経過していないと演算ＩＣ１０が判定した場合（ステップＳ１１４でＮＯの場合）には、演算ＩＣ１０は、ステップＳ１１２を実行してから１秒が経過したか否かを判定する（ステップＳ１１６）。具体的には、リアルタイムクロックＩＣ２０から、１秒が経過したことを示す時刻情報を演算ＩＣ１０が受信したか否かを判定する。例えば、リアルタイムクロックＩＣ２０は、計時を開始してから１秒が経過する毎に演算ＩＣ１０に時刻情報（経過時間の情報）を送信し、演算ＩＣ１０は、時刻情報を受信した場合に１秒が経過したと判定してもよい。ステップＳ１１２を実行してから１秒が経過していないと演算ＩＣ１０が判定した場合（ステップＳ１１６でＮＯの場合）には、ステップＳ１１４を繰り返す。
【００９８】
ステップＳ１１２を実行してから１分が経過したと演算ＩＣ１０が判定した場合（ステップＳ１１６でＹＥＳの場合）には、表示部４は、表示内容を更新して、図８（Ｃ）に示される第２経過時間表示画像を表示する（ステップＳ１１２）。第２経過時間表示画像には、操作部が所定の操作を受け付けたタイミングからの経過時間（第２時間）が秒単位で表示されているので、ステップＳ１１２が実行される毎に、第２経過時間表示画像を新たな表示内容に更新して表示部４に表示させる。
【００９９】
ステップＳ１１４で、第１所定時間を経過してから第２所定時間を経過したと演算ＩＣ１０が判定した場合（ステップＳ１１４でＹＥＳの場合）には、表示部４は、表示を更新して、図８（Ａ）に示される初期画像を表示する（ステップＳ１００）。初期画像に戻ることで、例えば、試合に前半と後半がある場合に、ユーザーは1回の操作で計時を開始することができる。モードを選択し直す手間を省くことができ、操作が容易な電子時計１を実現できる。
【０１００】
本実施形態に係る電子時計１によれば、１回の操作で第１時間（例えば、日本のプロサッカーリーグの場合、前半又は後半の４５分間）と、第２時間（例えば、日本のプロサッカーリーグの場合、アディショナルタイム）とを計時することができる。また、第２時間を秒単位で表示することによって、終了間際の緊迫感を演出できる。したがって、簡単な操作で、スポーツの緊迫感を楽しめる電子時計１を実現できる。
【０１０１】
本実施形態においては、画像の更新は部分駆動方式と全面駆動方式を組み合わせて行う例を説明したが、少なくとも一つの表示モードまたは動作モードにおいて、部分駆動方式のみ、又は全面駆動方式のみによって画像を更新してもよい。例えば、秒更新モード（全ての秒更新モードでも、スポーツタイマーモードに限ってもよい）の場合には、部分駆動方式によって秒の表示を更新してもよい。この場合、例えば、図６の画像Ａに続いて画像Ｄが表示される。全面駆動方式と組み合わせる場合よりも短時間で次の画像を表示できるので、画像の更新間隔が短い場合でも、画像が更新されるタイミングに遅れが発生しにくくできる。
【０１０２】
また、本実施形態に係る電子時計１によれば、電気泳動素子を含む表示部４を有するので、高コントラストでかつ広視野角で第１時間及び第２時間を表示できる。したがって、野外の競技場の観客席でも見やすい電子時計１を実現できる。例えば、表示部４に液晶を採用した場合、直射日光が射している場合などにおいては表示内容の判読が困難になりやすいが、電気泳動表示素子を用いた表示であれば容易に判読できる。
【０１０３】
また、上述のように、表示部４は、第１時間を分単位で表示するので、秒単位で表示する場合に比べて書き換え回数を減らすことができる。したがって、消費電力を抑制できる電子時計１を実現できる。
【０１０４】
本実施形態に係る電子時計１において、計時部（リアルタイムクロックＩＣ２０）は、第１所定時間が経過した時刻から第２所定時間が経過した場合に、計時を終了してもよい。例えば、日本のプロサッカーリーグの場合には、アディショナルタイムは１０分以内であることが通常であるので、第２所定時間を１０分としてもよい。
【０１０５】
本実施形態に係る電子時計１によれば、多くの場合では計時を終了させる操作が不要になるので、例えば、試合開始のタイミング（例えば、日本のプロサッカーリーグの場合には、前半と後半のそれぞれの開始タイミング）で操作するだけで経過時間を計時することができる。したがって、操作が容易な電子時計１を実現できる。なお、次の操作を受け付けるまで計時を継続する仕様や、計時を継続している間は第２経過時間表示画像を更新し続ける仕様とすることも可能である。
【０１０６】
本実施形態に係る電子時計１において、表示部４は、第１時間を表示する場合の背景画像と、第２時間を表示する場合の背景画像とが異なるように第１時間及び第２時間を表示してもよい。図８に示される例では、第１時間を表示する第１経過時間表示画像（図８（Ｂ））と、第２時間を表示する第２経過時間表示画像（図８（Ｃ））とで、背景色が異なっている。
【０１０７】
第１時間及び第２時間を文字で表示する場合には、文字よりも背景の方が、表示面積が大きいのが一般的である。本実施形態に係る電子時計１によれば、第１時間を表示する場合の背景画像と、第２時間を表示する場合の背景画像とが異なるので、表示されているのが第１時間であるか第２時間であるかを容易に識別できる電子時計１を実現できる。図８の例では、具体的には、第１経過時間表示画像の背景は黒、時間の表示は白、第２経過時間表示画像の背景は白、時間の表示は黒となっている。逆の組み合わせや、背景の模様や濃淡を異ならせても良いことは勿論である。
【０１０８】
本実施形態に係る電子時計１において、表示部４は、第１時間をカウントアップで更新して表示してもよい。これによって、テレビ中継などでユーザーが見慣れた経過時間の表示方法と同じになるので、ユーザーが経過時間を認識しやすい電子時計１を実現できる。
【０１０９】
本実施形態に係る電子時計１において、表示部４は、第２時間をカウントアップで更新して表示してもよい。これによって、テレビ中継などでユーザーが見慣れた経過時間の表示方法と同じになるので、経過時間を認識しやすい電子時計１を実現できる。
【０１１０】
なお、第１時間と第２時間の少なくとも一方を、カウントダウンで表示することも可能である。
【０１１１】
８．スポーツタイマーモード；第２モード
本実施形態に係る電子時計１の計時部は、第１所定時間がそれぞれ異なる第１モード及び第２モードを有していてもよい。第２モードにおける電子時計１の動作は、第１所定時間が第１モードと異なるのみで、図８及び図９を用いて説明した第１モードの動作と同様である。なお、第１モードと第２モードとで、異なる画面（文字やイラストなど）を表示してもよい。また、少なくとも１つのモードにおいて、第１所定時間をユーザーが設定できるようにしてもよい。
【０１１２】
本実施形態によれば、試合時間が異なる複数のスポーツに対応した電子時計１、又は、通常の試合時間と延長戦の試合時間とが異なるスポーツに対応した電子時計１を実現できる。例えば、日本のプロサッカーリーグの場合には、第１モードにおける第１所定時間を４５分、第２モードにおける第１所定時間を１５分とすることで、通常の試合時間と延長戦の試合時間とに対応した電子時計１を実現できる。
【０１１３】
本実施形態に係る電子時計１において、第１モードにおける第２所定時間と、第２モードにおける第２所定時間とがそれぞれ異なっていてもよい。また、少なくとも１つのモードにおいて、第２所定時間をユーザーが設定できるようにしてもよい。
【０１１４】
本実施形態に係る電子時計１によれば、ハーフタイムやアディショナルタイムの標準的な時間の長さが異なる複数のスポーツに対応した電子時計１、又は、通常のハーフタイムやアディショナルタイムの時間の長さと延長戦のハーフタイムやアディショナルタイムの時間の長さとが異なるスポーツに対応した電子時計１を実現できる。例えば、日本のプロサッカーリーグの場合には、第１モードにおける第２所定時間を１０分、第２モードにおける第１所定時間を５分とすることで、通常の試合時間と延長戦の試合時間とに対応した電子時計１を実現できる。
【０１１５】
本実施形態に係る電子時計１において、第１時間及び第２時間の計時中においては、１つの操作では計時が終了しないように構成されていてもよい。本実施形態においては、操作ボタンＡ及び操作ボタンＢを同時に押して離す操作を受け付けると、表示部４は、計時の終了を伴う動作を行わせるためのメニューを表示させる（図８（Ｄ）及び図８（Ｅ））。表示部４にメニューが表示されている状態で、操作ボタンＡを押して離す操作を受け付けると、演算ＩＣ１０は、計時部による計時を終了させて、表示部４は、図８（Ａ）に示される初期画像を表示する。また、表示部４にメニューが表示されている状態で、操作ボタンＢを押して離す操作を受け付けると、演算ＩＣ１０は、計時部による計時を終了させて、表示部４の表示モードを他の表示モードへ遷移させる。
【０１１６】
本実施形態に係る電子時計１によれば、ユーザーの誤操作によって計時が終了してしまう可能性を低減できる。
【０１１７】
上述した実施形態においては、電子時計１は腕時計型に構成されているが、これに限らず、例えば、置時計型や掛け時計型に構成されていてもよいし、携帯電話やタブレット型コンピューターなどの電子機器の一部として構成されていてもよい。
【０１１８】
また、上述した実施形態においては、電子時計１はサッカーの観戦に供する例で説明したが、これに限らず、例えば、陸上ホッケーなど、他のスポーツの観戦に供する電子時計１として構成されていてもよい。
【０１１９】
上述した実施形態および変形例は一例であって、これらに限定されるわけではない。例えば、各実施形態および各変形例を適宜組み合わせることも可能である。
【０１２０】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【０１２１】
１…電子時計、２…時計ケース、３…バンド、４…表示部、５ａ…操作ボタンＡ、５ｂ…操作ボタンＢ、６…駆動装置、７…電気泳動表示装置、１０…演算ＩＣ、１２…フラッシュＲＯＭ、２０…リアルタイムクロックＩＣ、２２…タイマー、２４…水晶振動子、３０…描画ＩＣ、３１…コントローラー、３２…フラッシュＲＯＭ、３３…発振回路、３４…ＶＲＡＭ、３５…ＲＡＭ、３６…昇圧回路、３７…共通電源変調回路、４０…温度計測ＩＣ、５０…リセットＩＣ、６０…一次電池、１０１…データ線駆動回路、１０２…走査線駆動回路、１０３，１０３Ａ，１０３Ｂ…画素、１０４…駆動用ＴＦＴ、１０５…ラッチ回路、１０６…スイッチ回路、１１１…データ線、１１２…走査線、１２０…マイクロカプセル、１２６…黒色粒子、１２７…白色粒子、１３０…素子基板、１３１…対向基板、１３２…電気泳動素子、１３５，１３５Ａ，１３５Ｂ…画素電極、１３７…共通電極、２００…共通電極配線、２０１…第１パルス信号線、２０２…第２パルス信号線、２０３…高電位電源線、２０４…低電位電源線、３５０…駆動電極層、３６０…電気泳動表示層、３７０…共通電極層
【図１】
2015137957.tif 000003
【図２】
2015137957.tif 000004
【図３】
2015137957.tif 000005
【図４】
2015137957.tif 000006
【図５】
2015137957.tif 000007
【図６】
2015137957.tif 000008
【図７】
2015137957.tif 000009
【図８】
2015137957.tif 000010
【図９】
2015137957.tif 000011